(57)【要約】【課題】  給湯システムの出湯温度及びその出湯流量を制御するための機能部品の部品点数の削減と、管路における省スペース化を実現する流量制御ユニットを提供する。【解決手段】  本発明にかかる流量制御ユニットにおいては、流量センサ２，水バイパス弁４及び水比例弁等の機能部品がボディ１１に一体的に組み付けられて一つの独立したユニットを構成している。このため、個々の機能部品を独立して構成した場合と比較して、各機能部品毎の部品点数が少なくなるとともに、各機能部品間を接続するための継手やシール部材を削減することができる。その結果、流量制御ユニット１ひいては給湯システム全体としての部品点数を大幅に削減してコストを低減することができるとともに、省スペース化を実現することができる。【選択図】  図６
2005164129.tif 000002
【特許請求の範囲】
【請求項１】
熱交換器を経由した湯と、その熱交換器を経由しない水との混合比を変えて出湯温度を制御するとともに、その出湯流量を制御する給湯システムに配設される流量制御ユニットにおいて、
給水管に接続される給水管接続部と、
前記熱交換器の入口側に接続される往き配管接続部と、
前記熱交換器の出口側に接続される戻り配管接続部と、
出湯管に接続される出湯管接続部と、
前記給水管接続部と前記往き配管接続部とを接続する第１の通路と、
前記戻り配管接続部と前記出湯管接続部とを接続する第２の通路と、
前記第１の通路と前記第２の通路とを連通し、その一端に前記第１の通路を流れる水の一部を導入する分岐点を形成し、他端にその導入した水を前記第２の通路を流れる湯と混合させる合流点を形成するバイパス通路と、
が一体成形されたボディに、
前記第１の通路に配置され、前記給水管を介して供給された水の流量を検出する流量センサと、
前記バイパス通路に配置され、前記流量センサの出力値に基づいて前記分岐点を介して前記バイパス通路に導入する水の流量を制御する第１の弁と、
前記第２の通路の前記合流点より下流側に配置され、前記合流点にて混合された湯の前記出湯管接続部からの出湯流量を制御する第２の弁と、
を一体的に組み付けて構成されたことを特徴とする流量制御ユニット。
【請求項２】
前記流量センサを、前記第１の通路における前記分岐点よりも下流側に配設したことを特徴とする請求項１記載の流量制御ユニット。
【請求項３】
前記ボディの前記第２の弁よりも下流側に、さらに、前記出湯流量を検出するための第２の流量センサを一体的に組み付けて構成されたことを特徴とする請求項１記載の流量制御ユニット。
【請求項４】
前記ボディに、さらに、前記給水管から前記給水管接続部に導入された水の温度を検出する第１の温度センサと、前記熱交換器から前記戻り配管接続部に導入された湯の温度を検出する第２の温度センサと、前記第２の弁から流出した湯の温度を検出する第３の温度センサとの少なくとも一つを、一体的に組み付けて構成されたことを特徴とする請求項１記載の流量制御ユニット。
【発明の詳細な説明】
【技術分野】
【０００１】
本発明は流量制御ユニットに関し、特に熱交換器を経由した湯とバイパス通路を経由した水との混合比を変えて出湯温度を制御するとともに、その出湯流量を制御する給湯システムへの適用が好適な流量制御ユニットに関する。
【背景技術】
【０００２】
従来より、熱交換器を経由した湯とバイパス通路を経由した水との混合比を変えて出湯温度を制御するとともに、その出湯流量を制御する給湯システムが知られている（例えば特許文献１）。
【０００３】
このような給湯システムは、例えば図１２に示すように、上水道の給水管１０１は、流量センサ１０２を介して熱交換器１０３及び水バイパス弁１０４の上流側に接続されており、熱交換器１０３及び水バイパス弁１０４の下流側が合流した後、水比例弁１０５に接続されている。この水比例弁１０５の下流側は、例えば台所の蛇口などへ出湯する出湯管１０６に接続される。
【０００４】
また、水比例弁１０５の下流側は、出湯管１０６と分岐した配管１０７にも接続され、流量センサ１０８，電磁弁１０９，及び直列に２つ配置した逆止弁１１０，１１１を介して風呂の浴槽１１２に接続されており、さらに、逆止弁１１０と逆止弁１１１との間に接続された配管１１３を介して大気開放弁１２０が配設されている。
【０００５】
このような給湯システムにおいて、給水管１０１から給水された上水は、流量センサ１０２を通り、一部が熱交換器１０３にて加熱されて湯になり、一部は水バイパス弁１０４を通って熱交換器１０３から出てきた湯と混合される。このとき、流量センサ１０２の入口付近に設置されたサーミスタ１３１，熱交換器１０３の出口付近に設置されたサーミスタ１３２，水比例弁１０５の出口付近に設置されたサーミスタ１３３によりそれぞれ検出された水温に基づいて、水バイパス弁１０４により熱交換器１０３をバイパスする流量を制御することにより、湯水の混合比が変えられて出湯温度が制御される。所望の温度に制御された湯は、さらに、水比例弁１０５により出湯流量が制御されて出湯管１０６より給湯される。
【０００６】
また、浴槽１１２に湯張りを行う時には、電磁弁１０９を開けることにより、水比例弁１０５を出た湯が流量センサ１０８、電磁弁１０９及び逆止弁１１０，１１１を介して風呂の浴槽１１２へ供給される。このとき、大気開放弁１２０は、検圧管１１４を介して上水道の元圧（１次圧）が導入されている。
【０００７】
さらに、停電により上水を汲み上げているポンプが停止したり、断水が発生するなどして給水管１０１内に負圧が発生した場合には、大気開放弁１２０は、１次圧の低下を感知して内部弁機構を作動させて配管１０７内の水を大気に放出して、浴槽１１２内の汚水が出湯管１０６の方まで逆流するのを防止する。
【特許文献１】特開２００３−２５４６０４号公報
【発明の開示】
【発明が解決しようとする課題】
【０００８】
しかしながら、上述した給湯システムでは、給水管１０１につながる管路に、水バイパス弁１０４，水比例弁１０５，流量センサ１０２，サーミスタ１３１，１３２，１３３などの機能部品がそれぞれ独立して設けられている。このため、各機能部品を接続する複数の継手やその継手の接続部をシールするためのＯリングなどのシール部材が必要となり、給湯システム全体としての部品点数が多くなってコストが嵩むとともに、配管スペースを広く占有してしまうといった問題があった。
【０００９】
本発明はこのような点に鑑みてなされたものであり、給湯システムの出湯温度及びその出湯流量を制御するための機能部品の部品点数の削減と、管路における省スペース化を実現する流量制御ユニットを提供することを目的とする。
【課題を解決するための手段】
【００１０】
本発明では上記問題を解決するために、熱交換器を経由した湯と、その熱交換器を経由しない水との混合比を変えて出湯温度を制御するとともに、その出湯流量を制御する給湯システムに配設される流量制御ユニットにおいて、給水管に接続される給水管接続部と、前記熱交換器の入口側に接続される往き配管接続部と、前記熱交換器の出口側に接続される戻り配管接続部と、出湯管に接続される出湯管接続部と、前記給水管接続部と前記往き配管接続部とを接続する第１の通路と、前記戻り配管接続部と前記出湯管接続部とを接続する第２の通路と、前記第１の通路と前記第２の通路とを連通し、その一端に前記第１の通路を流れる水の一部を導入する分岐点を形成し、他端にその導入した水を前記第２の通路を流れる湯と混合させる合流点を形成するバイパス通路と、が一体成形されたボディに、前記第１の通路に配置され、前記給水管を介して供給された水の流量を検出する流量センサと、前記バイパス通路に配置され、前記流量センサの出力値に基づいて前記分岐点を介して前記バイパス通路に導入する水の流量を制御する第１の弁と、前記第２の通路の前記合流点より下流側に配置され、前記合流点にて混合された湯の前記出湯管接続部からの出湯流量を制御する第２の弁と、を一体的に組み付けて構成されたことを特徴とする流量制御ユニットが提供される。
【００１１】
このような流量制御ユニットによれば、流量センサ，第１の弁，第２の弁等の機能部品がボディに一体的に組み付けられており、その一体成形されたボディが各機能部品のケーシングを兼ねている。
【００１２】
このため、個々の機能部品を独立して構成した場合と比較して、各機能部品毎の部品点数が少なくなるとともに、各機能部品間を接続するための継手やシール部材を削減することができる。また、このように継手及びそのシール部が減少するため、水漏れに対する信頼性の向上が期待でき、その水漏れの検査工程の時間を削減することもできる。
【発明の効果】
【００１３】
本発明の流量制御ユニットによれば、流量センサ，第１の弁，第２の弁等の機能部品がボディに一体的に組み付けられて構成されるため、流量制御ユニットひいては給湯システム全体としての部品点数を大幅に削減してコストを低減することができるとともに、省スペース化を実現することができる。
【発明を実施するための最良の形態】
【００１４】
以下、本発明の実施の形態について図面を参照して詳細に説明する。
［第１の実施の形態］
まず、本発明の第１の実施の形態について説明する。本実施の形態は、本発明の流量制御ユニットを給湯システムに適用したものであり、図１はその給湯システムを表す説明図である。尚、当該給湯システムの全体構成については、図１２で示した構成とほぼ同様であるため、同様の構成部分については必要に応じて同一の符号を付す等してその説明を省略する。
【００１５】
図１に示すように、本実施の形態の給湯システムには、熱交換器１０３を介して出湯温度及びその出湯流量を制御する流量制御ユニット１が配設されている。この流量制御ユニット１は、流量センサ２，水バイパス弁４（第１の弁）及び水比例弁５（第２の弁）を一つのユニットとして一体に構成したものである。
【００１６】
給水管１０１は、流量制御ユニット１の入口側に接続され、流量センサ２を介した後、内部で二股に分岐して、一方は熱交換器１０３に接続され、他方はバイパス通路となって水バイパス弁４に接続されている。この水バイパス弁４の下流側は、熱交換器１０３の下流側と合流し、水比例弁５に接続され、この水比例弁５の下流側は、出湯管１０６に接続されている。
【００１７】
この構成の給湯システムにおいて、流量センサ２を介して流量制御ユニット１に供給された水は、一部が熱交換器１０３にて加熱されて湯になり、一部は水バイパス弁４を通って熱交換器１０３から出てきた湯と混合され、水比例弁５を経由した後、流量制御ユニット１の出口側に接続された出湯管１０６より出湯される。
【００１８】
ここで、出湯温度は、水バイパス弁４の開度を制御することによって行われ、出湯水量は水比例弁５の開度を制御することによって行われる。すなわち、水バイパス弁４の開度を大きく制御することで、熱交換器１０３に向かう水量が減るとともに熱交換器１０３をバイパスする水量が増え、これによって水バイパス弁４及び熱交換器１０３の下流側で混合された混合水の水温を低く制御でき、逆に、水バイパス弁４の開度を小さく制御することで、熱交換器１０３に向かう水量が増えるとともに熱交換器１０３をバイパスする水量が減り、これによって水バイパス弁４及び熱交換器１０３の下流側で混合された混合水の水温を高く制御できる。また、このようにして温度制御された混合水は、水比例弁５の開度を大きくすることで、流量を増加でき、開度を小さくすることで、流量を絞ることができる。
【００１９】
図２は流量制御ユニットの平面図、図３は図２のＡ方向矢視図、図４は図２のＢ方向矢視図、図５は流量制御ユニットの底面図である。また、図６は図２のＣ−Ｃ矢視断面図であり、図７は図２のＤ−Ｄ矢視断面図である。
【００２０】
図２〜図５に示したように、この流量制御ユニット１は、樹脂材を一体成形して構成されたボディ１１を備え、このボディ１１に、上述した流量センサ２，水バイパス弁４及び水比例弁５を一体的に組み付けて構成されている。このボディ１１は、給水管１０１に接続される給水管接続部１２と、熱交換器１０３の入口側である上流側配管に接続される往き配管接続部１３と、熱交換器１０３の出口側である下流側配管に接続される戻り配管接続部１４と、出湯管１０６に接続される出湯管接続部１５とを有している。
【００２１】
図６及び図７に示したように、ボディ１１の内部において、給水管接続部１２は、水通路１６に連通しており、この水通路１６は、一方では、熱交換器１０３への往き配管接続部１３に連通し、他方は、水バイパス弁４及び水比例弁５を介して混合水通路１７及び出湯管接続部１５に連通している。熱交換器１０３からの戻り配管接続部１４は、湯通路１８（図２参照）に連通し、この湯通路１８は、水比例弁５を介して混合水通路１７及び出湯管接続部１５に連通している。
【００２２】
ボディ１１は、水通路１６の往き配管接続部１３が設けられている側と反対の側に、水バイパス弁４の機構部を挿設する開口部１９を有し、混合水通路１７の出湯管接続部１５が設けられている側と反対の側には、水比例弁５の機構部を挿設する開口部２０を有している。
【００２３】
流量センサ２は、給水管１０１の分岐点よりも上流側に配設され、図６に示したように、ボディ１１の内部において、給水管１０１に接続される給水管接続部１２と水通路１６とを連通させる水通路２８に設けられている。この流量センサ２は、着磁された複数枚の羽根を有する羽根車２ａと、この羽根車２ａに近接してボディ１１内に埋設された感磁センサ２ｂと、上流側に配置されて通過する水に渦流を生起させる整流器２ｃとを有している。
【００２４】
水バイパス弁４の機構部は、図６に示したように、水バイパス弁用モータ２１と、この水バイパス弁用モータ２１の出力軸に設けられたウォーム２２と、このウォーム２２と噛合する出力ギヤ２３と、この出力ギヤ２３に固定されて回転軸をなす軸２４と、この軸２４に外挿されつつ保持された円筒状の弁体２５とを有し、これらは下部ケース２６と上部ケース２７とによって収容されている。下部ケース２６は、ボディ１１の開口部１９の蓋を兼ねて一体に形成されている。
【００２５】
出力ギヤ２３は、その上端面に円弧状の上部ストッパ３０が突設され、下端面には、下部ストッパ（図には現れていない）が形成されている。出力ギヤ２３の上部ストッパ３０は、上部ケース２７の内側に突設されたストッパ３３と協働して、出力ギヤ２３が回動できる可動範囲の一方、すなわち、弁体２５のリフト上限を規制し、出力ギヤ２３の下部ストッパは、下部ケース２６の内側に突設されたストッパ３４と協働して、出力ギヤ２３が回動できる可動範囲の他方、すなわち、弁体２５のリフト下限を規制する。
【００２６】
出力ギヤ２３のネジ部２９は、下部ケース２６に形成されたネジ部３５と螺合されており、出力ギヤ２３は、これが回動することにより、その回転中心の軸線方向に往復運動し、弁体２５を水通路１６に形成された弁座３６に対して接離するよう動作される。
【００２７】
弁体２５は、軸２４の下端側に設けられたストッパ３７にて軸２４からの脱落が防止され、下部ケース２６との間に配置されたスプリング３８によって軸２４の下端側へ付勢されている。
【００２８】
また、図４及び図６に示したように、弁体２５の下端面からはその周縁に沿って等間隔で下方に延出した３本の足片２５ａが設けられており、各足片２５ａが通水路１６の内壁に沿って摺動可能に構成されている。一方、本体１１の水通路１６における弁座３６の近傍には、これら３本の足片２５ａの隣接する２本の間で内径方向に突出し、足片２５ａをその軸回りに係止する２つの係止部１１ａが形成されている。このため、弁体２５は、これら足片２５ａと係止部１１ａとの係合によってその軸回りの回転が規制されつつ、係止部１１ａによってその軸方向にガイドされながら動作する。尚、同図に示したように、ここでは係止部１１ａを周方向の２箇所に設けた例を示したが、３箇所、つまり係止部１１ａが隣接する間の全ての箇所に設け、各足片２５ａがそれぞれ軸方向のスリットに沿ってガイドされるような態様としてもよい。
【００２９】
さらに、下部ケース２６の下部は、筒状になっていて、弁体２５が軸線方向に移動するのを案内し、弁体２５との間は、Ｏリング３９によってシールされている。また、下部ケース２６は、ボディ１１の開口部１９に嵌め込まれており、Ｏリング４０によってシールされている。さらに、軸２４が挿設されている下部ケース２６の弁体２５側の位置に二重のＯリング４１が配置されており、この二重のＯリング４１の中間位置には、外部に連通する排水口６１が設けられており、この二重のＯリング４１で水漏れが発生しても、漏れた水を排水口６１より排出させて水バイパス弁用モータ２１の側へ水漏れすることがないようにしている。
【００３０】
水比例弁５の機構部も、水バイパス弁４の機構部と同様の構成を有している。すなわち、水比例弁５の機構部は、図７に示したように、水比例弁用モータ４２と、この水比例弁用モータ４２の出力軸に設けられたウォーム４３と、このウォーム４３と噛合する出力ギヤ４４と、この出力ギヤ４４に固定されて回転軸をなす軸４５と、この軸４５に外挿されつつ保持された円筒状の弁体４６とを有し、これらは下部ケース４７と上部ケース４８とによって収容されている。下部ケース４７は、ボディ１１の開口部２０の蓋を兼ねて一体に形成されている。
【００３１】
出力ギヤ４４も、水バイパス弁４の出力ギヤ２３と同じ構成を有し、上部ストッパ４９と下部ストッパ（図には現れていない）を有している。上部ストッパ４９に対応して上部ケース４８はその内側に突設されたストッパ５０を有し、下部ストッパに対応して下部ケース４７はその内側に突設されたストッパ６２を有している。
【００３２】
出力ギヤ４４のネジ部５１は、下部ケース４７に形成されたネジ部５２と螺合されており、出力ギヤ４４は、これが回動することにより、その回転中心の軸線方向に往復運動し、弁体４６を混合水通路１７に形成された弁座５３に対して接離するよう動作させる。
【００３３】
弁体４６は、軸４５の下端側に設けられたストッパ５４にて軸４５からの脱落が防止され、下部ケース４７との間に配置されたスプリング５５によって軸４５の下端側へ付勢されている。
【００３４】
また、図５及び図７に示したように、弁体４６の下端面からはその周縁に沿って等間隔で下方に延出した３本の足片４６ａが設けられており、各足片４６ａが混合水通路１７の内壁に沿って摺動可能に構成されている。一方、本体１１の混合水通路１７における弁座５３の近傍には、これら３本の足片４６ａの隣接する２本の間で内径方向に突出し、足片４６ａをその軸回りに係止する２つの係止部１１ｂが形成されている。このため、弁体４６は、これら足片４６ａと係止部１１ｂとの係合によってその軸回りの回転が規制されつつ、係止部１１ｂによってその軸方向にガイドされながら動作する。尚、同図に示したように、ここでは係止部１１ｂを周方向の２箇所に設けた例を示したが、３箇所、つまり係止部１１ｂが隣接する間の全ての箇所に設け、各足片４６ａがそれぞれ軸方向の溝に沿ってガイドされるような態様としてもよい。
【００３５】
さらに、下部ケース４７の下部は、筒状になっていて、弁体４６が軸線方向に移動するのを案内し、弁体４６との間は、Ｏリング５６によってシールされている。また、下部ケース４７は、ボディ１１の開口部２０に嵌め込まれており、Ｏリング５７によってシールされている。さらに、軸４５が挿設されている下部ケース４７の弁体４６側の位置に二重のＯリング５８が配置されており、この二重のＯリング５８の中間位置には、外部に連通する排水口５９が設けられており、水漏れが発生した場合に、漏れた水を排水口５９より排出させて水比例弁用モータ４２の側へ水漏れすることがないようにしている。
【００３６】
次に、この流量制御ユニット１の動作について説明する。尚、水バイパス弁４と水比例弁５は同じ構成を有しているので、ここでは、代表して水比例弁５の動作について説明する。
【００３７】
図７を参照して、水比例弁５は、水比例弁用モータ４２が回転し、出力ギヤ４４が降下して軸４５に保持された弁体４６が弁座５３に着座することによって全閉状態になる。弁体４６は、軸４５の降下とともに降下して弁座５３に着座するが、そのときは、まだ水比例弁用モータ４２は回転していて、軸４５をさらに降下させている。出力ギヤ４４の下部ストッパ（図には現れていない）が下部ケース４７のストッパ６２に当接することによって出力ギヤ４４の回転が機械的に強制停止されることにより、軸４５の降下が停止される。このとき、スプリング５５によって付勢されている弁体４６は、弁座５３の着座位置に取り残され、軸４５だけが僅かに降下してから強制停止される。
【００３８】
次に、水比例弁用モータ４２を逆回転すると、それに伴って出力ギヤ４４が回転し、軸４５とともに上昇していく。これにより、軸４５に保持された弁体４６は、弁座５３から離れていき、弁開する。さらに、出力ギヤ４４が上昇していって、その上部ストッパ４９が上部ケース４８に設けられたストッパ５０に当接すると、出力ギヤ４４の回転が強制的に停止され、軸４５及びこれに保持された弁体４６の上昇が停止されて水比例弁５は全開状態になる。
【００３９】
以上に説明したように、本実施の形態の流量制御ユニット１においては、流量センサ２，水バイパス弁４及び水比例弁５等の機能部品がボディ１１に一体的に組み付けられて一つの独立したユニットを構成している。
【００４０】
このため、個々の機能部品を独立して構成した場合と比較して、各機能部品毎の部品点数が少なくなるとともに、各機能部品間を接続するための継手やシール部材を削減することができる。その結果、流量制御ユニット１ひいては給湯システム全体としての部品点数を大幅に削減してコストを低減することができるとともに、省スペース化を実現することができる。
【００４１】
また、このように継手及びそのシール部が減少するため、水漏れに対する信頼性の向上が期待でき、その水漏れの検査工程の時間を削減することもできる。
［第２の実施の形態］
次に、本発明の第２の実施の形態について説明する。尚、本実施の形態に係る流量制御ユニットは、流量センサの設置位置が異なる以外は上記第１の実施の形態の構成と同様であるため、同様の構成部分については同一の符号を付す等してその説明を省略する。図８は、本実施の形態の流量制御ユニットが適用される給湯システムを表す説明図であり、図９はその流量制御ユニットの図６に対応した断面矢視図である。
【００４２】
図８に示すように、本実施の形態の給湯システムでは、流量制御ユニット２０１において、給水管１０１の分岐点よりも下流の熱交換器１０３側に流量センサ２０２を配設しており、熱交換器１０３を経由する給水流量を検出して、水バイパス弁４及び水比例弁５のそれぞれの開度を制御する。
【００４３】
図９に示すように、流量制御ユニット２０１では、ボディ２１１の内部において、水通路１６の往き配管接続部１３近傍に流量センサ２０２が設けられている。この流量センサ２０２は、第１の実施の形態の流量センサ２と同様の羽根車２ａ，感磁センサ２ｂ，整流器２ｃを備えている。
【００４４】
本実施の形態の流量制御ユニット２０１においも、流量センサ２０２，水バイパス弁４及び水比例弁５等の機能部品がボディ２１１に一体的に組み付けられて一つの独立したユニットを構成している。
【００４５】
このため、第１の実施の形態と同様に、流量制御ユニット１ひいては給湯システム全体としての部品点数を大幅に削減してコストを低減することができるとともに、省スペース化を実現することができる。
【００４６】
以上、本発明の好適な実施の形態について説明したが、本発明はその特定の実施の形態に限定されるものではなく、本発明の精神の範囲内での変化変形が可能であることはいうまでもない。
【００４７】
例えば、上記各実施の形態の流量制御ユニットにおいては、その入口側、つまり給水管１０１側に設けた流量センサを一体化した構成を示したが、図１０に示したように、その出口側、つまり出湯管１０６側に流量センサ３０３を設け、これをも一体化した流量制御ユニット３０１として構成してもよい。
【００４８】
具体的には、例えば図７に示した流量制御ユニット１の混合水通路１７を同図よりも長く形成し、出湯管接続部１５の近傍に図６に示した流量センサ２と同様の構成の流量センサを配設することにより実現される。尚、その具体的構造については、図６の流量センサ２や図９の流量センサ２０２の配置構成を参照すれば容易に類推できるため、その図示等を省略する。
【００４９】
この場合、流量制御ユニット３０１のボディには、風呂の浴槽１１２につながる配管１０７に接続するための配管接続部と、出湯管と分岐する分岐点が形成されることになる。
その際、図１０に示したように、温度センサとしての各サーミスタをボディに一体に組み付けるようにしてもよい。この場合、サーミスタ１３１は給水管接続部１２の近傍に配設され、サーミスタ１３２は戻り配管接続部１４の近傍に配設され、サーミスタ１３３は出湯管接続部１５の近傍に配設される。尚、管路におけるサーミスタの配設構造については公知の技術を適用するため、その説明については省略する。
【００５０】
また、図１１に示したように、上記第１の実施の形態の流量制御ユニット１において、各サーミスタ１３１，１３２，１３３をボディ１１に一体に組み付けた流量制御ユニット４０１として構成してもよい。
【００５１】
また、上記実施の形態では、弁体２５及び４６をそれぞれ本体１１側に形成した係止部１１ａ，１１ｂによって軸回りに係止する構成としたが、弁体２５及び４６をそれぞれ軸２４，４５に回転しないように嵌合固定して、これらの軸２４，４５を回転不能に構成してもよい。例えば、これらの軸２４，４５が、それぞれ出力ギヤ２３，４４に固定されずに内挿され、所定の介在物（各軸に周設したストッパ等）を介してこれら出力ギヤ２３，４４に軸方向に押されながら往復運動するように構成することができる。
【産業上の利用可能性】
【００５２】
流体の供給システムにおいて、その流路を一旦分岐した後に再び合流させ、流路に配置した一又は複数の流量センサの出力に基づいて複数の制御弁を制御するタイプのものに適用することができる。
【図面の簡単な説明】
【００５３】
【図１】第１の実施の形態にかかる給水システムを表す説明図である。
【図２】第１の実施の形態にかかる流量制御ユニットの平面図である。
【図３】図２のＡ方向矢視図である。
【図４】図２のＢ方向矢視図である。
【図５】第１の実施の形態にかかる流量制御ユニットの底面図である。
【図６】図２のＣ−Ｃ矢視断面図である。
【図７】図２のＤ−Ｄ矢視断面図である。
【図８】第２の実施の形態にかかる給水システムを表す説明図である。
【図９】第２の実施の形態にかかる流量制御ユニットの図６に対応した矢視断面図である。
【図１０】変形例にかかる流量制御ユニットの説明図である。
【図１１】変形例にかかる流量制御ユニットの説明図である。
【図１２】従来の給水システムを表す説明図である。
【符号の説明】
【００５４】
１，２０１，３０１，４０１  流量制御ユニット
２，２０２，３０３  流量センサ
４  水バイパス弁
５  水比例弁
１１，２１１  ボディ
１２  給水管接続部
１３  往き配管接続部
１４  戻り配管接続部
１５  出湯管接続部
１０１  給水管
１０３  熱交換器
１０７  配管
１３１，１３２，１３３  サーミスタ
【図１】
2005164129.tif 000003
【図２】
2005164129.tif 000004
【図３】
2005164129.tif 000005
【図４】
2005164129.tif 000006
【図５】
2005164129.tif 000007
【図６】
2005164129.tif 000008
【図７】
2005164129.tif 000009
【図８】
2005164129.tif 000010
【図９】
2005164129.tif 000011
【図１０】
2005164129.tif 000012
【図１１】
2005164129.tif 000013
【図１２】
2005164129.tif 000014